(57)【特許請求の範囲】
【請求項１】
シートクッション側に保持されるロアアームと、該ロアアームに回動自在に支持されシートバック側に保持されるアッパアームと、前記ロアアームに回転自在に支持され前記アッパアームを挿通して前記アッパアームの前記ロアアームに対する回動中心となる回転軸と、前記ロアアームと前記アッパアームとの間に配設され互いに噛合して前記アッパアームの前記ロアアームに対する回動を規制するラチェット及び複数のポールを備えるロック機構と、前記回転軸に一体回転するよう且つ移動自在に支持され、前記ポールを押圧して前記ポールと前記ラチェットとを噛合させるカムとを有するシートリクライニング装置において、前記ポールあるいは前記ロアアームの一方は突部を有し、前記ポールあるいは前記ロアアームの他方は前記突部との当接により、前記ポールを介して前記カムを移動させるカム面を有し、前記複数のポールは、前記カム面と前記突部との当接が行われる前記ポールと、前記カム面と前記突部との当接が行われない前記ポールとから成り、前記カムの移動により、前記カム面と前記突部との当接が行われない前記ポールは前記ラチェットと噛合する方向に押圧されるシートリクライニング装置。
【請求項２】
前記回転軸に形成され前記カム面に向かって延在する第１平滑面を備え前記カムを支持する支持部と、前記カムに形成され前記第１平滑面と摺接する第２平滑面を備え前記回転軸が挿通される貫通孔とを有する、請求項１記載のシートリクライニング装置。
【請求項３】
前記ロアアームあるいは前記ポールの他方は、長穴部を有し、前記長穴部は、端部が除々に先細りするように形成される前記カム面を備えた請求項１に記載のシートリクライニング装置。
【発明の詳細な説明】
【０００１】
【発明の属する技術分野】
本発明は、シートバックをシートクッションに対して傾斜角調整自在に支持するシートリクライニング装置に関するものである。
【０００２】
【従来の技術】
従来、この種のシートリクライニング装置としては、特開平２−１２８７０７号公報に示されるものが知られている。これは、シートクッション側に保持されるロアアームと、ロアアームに回動自在に支持されシートバック側に保持されるアッパアームと、ロアアームに回転自在に支持されアッパアームを挿通してアッパアームのロアアームに対する回動中心となる回転軸と、ロアアームとアッパアームとの間に配設され互いに噛合してアッパアームのロアアームに対する回動を規制するラチェット及び複数のポールを備えるロック機構と、回転軸に一体回転するように支持されポールの背面を押圧してポールとラチェットとを噛合させるカムとを有するものである。
【０００３】
又、この従来装置では、回転軸が挿通されるカムの貫通孔の径が回転軸の径より大きく、カムが回転軸に対して放射方向に移動自在となっており、このカムの回転軸に対する放射方向の移動により全てのポールがラチェットと噛合するようにポールを確実に押圧するようになっている。
【０００４】
【発明が解決しようとする課題】
しかし、上記した前者の従来装置であると、複数のポールに対するカムの位置を調整することで全てのポールとラチェットとの確実な噛合を確保しているが、この調整によりカムのポールに対する押圧力は相対的に低くなりやすく、必ずしも全てのポールとラチェットとが強固に噛合していないこととなる恐れがある。このため、ポールとラチェットとの噛合に回動方向のガタが発生する恐れがあり、ロック機構によるアッパアームのロアアームに対する回動規制が不十分となる恐れがあった。
【０００５】
故に、本発明は、ポールとラチェットとの噛合をより強固なものとすることを、その技術的課題とするものである。
【０００６】
【課題を解決するための手段】
上記技術的課題を解決するために本発明において講じた技術的手段は、ポールあるいはロアアームの一方は突部を有し、前記ポールあるいは前記ロアアームの他方は前記突部との当接により、前記ポールを介して前記カムを移動させるカム面を有し、前記複数のポールは、前記カム面と前記突部との当接が行われる前記ポールと、前記カム面と前記突部との当接が行われない前記ポールとから成り、前記カムの移動により、前記カム面と前記突部との当接が行われない前記ポールはラチェットと噛合する方向に押圧されるようにした、ことである。
【０００７】
この技術的手段によれば、一つのポールとカム面との当接による反力でカムが押圧されて移動する。これにより、その他のポールとラチェットとの噛合が強固なものとなり、又、アッパアームを介してカム面と当接するポールとラチェットとの噛合が強固なものとなる。
【０００８】
より好ましくは、前記回転軸に形成され前記カム面に向かって延在する第１平滑面を備え前記カムを支持する支持部と、前記カムに形成され前記第１平滑面と摺接する第２平滑面を備え前記回転軸が挿通される貫通孔とを有する、と良い。
より好ましくは、前記ロアアームあるいは前記ポールの他方は、長穴部を有し、前記長穴部は、端部が除々に先細りするように形成される前記カム面を備える、と良い。
【０００９】
【発明の実施の形態】
図１及び図２に示されるように、シートクッションフレームＡに固定されるロアアーム１には、シートバックフレームＢに固定されるアッパアーム２が回動自在に支持されている。ロアアーム１には、アッパアーム２のロアアーム１に対する回動中心線上に配置された回転軸３が回転自在に支持されている。この回転軸３は、アッパアーム２に形成された貫通孔２１を貫通して回転軸方向に延在している。尚、貫通孔２１は、回転軸３の径より大きく、アッパアーム２と回転軸３との間には、若干の隙間が持たされている。又、ロアアーム１とアッパアーム２との間には、ロック機構４が回転軸３周りに位置して配設されている。
【００１０】
ロック機構４は、３つのポール５及びこのポール５と噛合及び噛合解除する内歯部２２ａより構成されている。
【００１１】
ロアアーム１には、図３及び図５に示されるように、３つの凸部１１がアッパアーム２に向かって突出するように半抜き形成されている。この凸部１１は、夫々、回転軸３を中心として周方向に延在する円弧状であって、周方向端面が隣合う凸部１１の周方向端面と対向するように同一円周上に位置している。これにより、凸部１１の対向し合う周方向端面間で放射状（回転軸３を中心として回転軸３の径方向）に延在する３つのガイド溝１２をロアアーム１に形成している。このガイド溝１２は、回転軸３を中心として周方向において略等間隔で均等に配置されている。ポール５は、夫々、ガイド溝１２内に配置され、ロアアーム１にガイド溝１２に沿って摺動自在に支持されている。
【００１２】
アッパアーム２のロアアーム１と対向する側の面には、図４及び図５に示されるように、回転軸３を中心として略正円の凹部２２が半抜き形成されている。この凹部２２の内周面には、前述したポール５と噛合可能な内歯部２２ａ及び平面状の軸受部２２ｂが凹部２２の形成によって一体に形成されている。
【００１３】
このような構成において、図５に示されるように、ロアアーム１の凸部１１は、アッパアーム２の凹部２２内に収容され、凸部１１の外周面は、軸受部２２ｂと摺接する。これにより、アッパアーム２はロアアーム１に対して回動自在に支持されることになる。又、ポール５は、内歯部２２ａと対向し、ポール５の摺動動作で内歯部２２ａと噛合及び噛合解除するよう配置される。
【００１４】
回転軸３には平滑面３１ａを備えた支持部３１が形成されており、この支持部３１にカム６が一体回転するように支持されている。このカム６は、３つのポール３の背面と当接可能に凹部２２内に配置されており、ポール５の背面と当接することでポール５を内歯部２２ａと噛合する方向に押圧する。又、カム６の回転軸３が挿通する貫通孔６１は、支持部３１の径より若干大きく、平滑面３１ａと摺接する平滑面６１ａを備えるものである。この平滑面３１ａ、６１ａは、後述するカム面１２ｂに向かうように図５示上下方向に延在するものであって、カム６は、この平滑面３１ａ、６１ａにより、回転軸３と一体回転し且つ回転軸３に対して移動可能となっている。
【００１５】
回転軸３には、操作ハンドル７が一体回転するように固着されている。ロアアーム１のガイド溝１２には、ガイド方向に延在する長穴１２ａが形成されており、ポール５には、この長穴１２ａに貫通して操作ハンドル７側へと延在するピン５１が立設されている。操作ハンドル７には、カム長穴７１が形成されており、ポール５のピン５１は、このカム長穴７１に挿通されている。これにより、ポール５は、ピン５１とカム長穴７１とのカム作用によりガイド溝１２に沿って摺動させられ、内歯部２２ａとの噛合を解除する。
【００１６】
長穴１２ａのうちの一つ（図５示上側のもの）には、図３及び図５に示されるように、その端を徐々に先細りとするカム面１２ｂが形成されている。ポール５には、ピン５１と平行で且つ長穴１２ａに挿通される突部５２が半抜き形成されている。カム面１２ｂが形成された長穴１２ａに挿通される突部５２（図５示上側のポール５Ａの突部５２）は、カム面１２ｂと当接可能であって、この突部５２とカム面１２ｂとの当接によりカム６を回転軸３に対して移動させる。
【００１７】
アッパアーム２の凹部２２を構成する壁には、複数のボス部２３が形成されている。アッパアーム２は、このボス部２３に挿通される２種類のピン８、９によりボス部２３の先端面でシートバックフレームＢに取り付けられ、この凹部２２を構成する壁のボス部２３の先端面が取付面２４を構成している。尚、ピン８は、図１中ａ，ｂにも装着され、ピン９は、図１中ｂ，ｃにも装着されており、ピン８は、ピン９よりも長い軸部８１を備えている。
【００１８】
アッパアーム２の取付面２４側には、支持プレート１０が配設されている。この支持プレート１０は、リング状を呈したものであって、ロアアーム１と共締めされてシートクッションフレームに固定されている。この支持プレート１０には、アッパアーム２の外周縁の一部を覆ってロアアーム１側に延在するフランジ部１０ａが形成されている。このフランジ部１０ａは、ロアアーム１の外周縁と係合しており、これにより、アッパアーム２をロアアーム１と支持プレート１０との間で挟み込み、アッパアーム２のロアアーム１に対する軸方向の外れを規制している。
【００１９】
尚、回転軸３周りに配設されるスプリングＣは、支持プレート１０と回転軸３との間に張設されたものであって、ポール５がカム６により押圧されて内歯部２２ａと噛合するように回転軸３を回転付勢している。又、スプリングＤは、支持プレート１０とアッパアーム２との間に張設されたものであって、アッパアーム２をロアアーム１に対して回動付勢している。
【００２０】
次に作動について説明する。
【００２１】
常時は、カム６とポール５の背面との当接で全てのポール５が押圧されており、これにより、全てのポール５と内歯部２２ａとが噛合してアッパアーム２のロアアーム１に対する回動が規制されている。
【００２２】
この状態で操作ハンドル７を操作して回転軸３をスプリングＣの付勢力に抗して回転させると、カム６も回転軸３と一体に図５示時計方向に回転して全てのポール５の背面から外れると共に操作ハンドル７のカム長穴７１とポール５のピン５１とのカム作用により全てのポール５がガイド溝１２に沿って摺動させられる。これにより、全てのポール５と内歯部２２ａとの噛合が解除され、アッパアーム２がスプリングＤの付勢力を受けてロアアーム１に対して軸受部２２ｂと凸部１１との摺接によりガイドされながら回動する。
【００２３】
操作ハンドル７の操作を解除すると、回転軸３がスプリングＣの付勢力を受けて前述とは逆に回転する。これにより、操作ハンドル７のカム長穴７１とポール５のピン５１とのカム作用により全てのポール５がガイド溝１２に沿って前述とは逆に摺動させられると共にカム６も前述とは逆に回転してポール５の背面と当接し全てのポール５を押圧する。結果、全てのポール５と内歯部２２ａとが再び噛合してアッパアーム２のロアアーム１に対する回動が規制される。
【００２４】
この時、ポール５Ａの突部５２がロアアーム１の長穴１２のカム面１２ｂと当接する。これにより、ポール５Ａはその反力でカム６を押圧して、回転軸３に対して図５示下方向に移動させる。これにより、カム面１２ｂと突部５２との当接が行われない残りのポール５（図５示下側の２つのポール５Ｂ、５Ｃ）の背面を押圧してこのポール５Ｃ、５Ｂを内歯部２２ａと噛合する方向により強く押圧する。結果、ポール５Ｃ、５Ｄは、内歯部２２ａとより深く噛合し、この噛合を介してアッパアーム２を図５示下方に押し下げ、ポール５Ａと内歯部２２ａとがより深く噛合する。これにより、アッパアーム２のロアアーム１に対する回動方向のガタが確実に抑制される。
【００２５】
又、ポール５と内歯部２２ａとの噛合によりアッパアーム２のロアアーム１に対する回動が規制されている時にシートバックフレームＢからアッパアーム２に負荷が作用した際、軸受部２２ｂと凸部１１の外周面との摺接でこの負荷を受け、ロアアーム１にこの負荷を伝達する。よって、回転軸３には負荷が作用せず、回転軸３のスムーズな回転が保証される。
【００２６】
【発明の効果】
本発明によれば、ポールと当接するカム面をポールあるいはロアアームに形成し、カムを介してポールをラチェットの噛合方向に押圧したので、従来に比べて全てのポールとラチェットとをより強固に噛合させることができ、従来に比べてラチェットとの間のガタを抑制することができる。
【図面の簡単な説明】
【図１】本発明に係るシートリクライニング装置の分解斜視図である。
【図２】本発明に係るシートリクライニング装置の縦断面図である。
【図３】本発明に係るシートリクライニング装置のロアアームの正面図である。
【図４】本発明に係るシートリクライニング装置のアッパアームの正面図である。
【図５】本発明に係るシートリクライニング装置のロック機構を示す正面図である。
【符号の説明】
１  ロアアーム
２  アッパアーム
３  回転軸
４  ロック機構
５  ポール
６  カム
３１  支持部
６１  貫通孔
１２ｂ  カム面
２２ａ  内歯部（ラチェット）
３１ａ  平滑面（第１平滑面）
６１ａ  平滑面（第２平滑面）
【図１】
0003931404.tif 000002
【図２】
0003931404.tif 000003
【図３】
0003931404.tif 000004
【図４】
0003931404.tif 000005
【図５】
0003931404.tif 000006